(57)【要約】【課題】被記録媒体としての布帛に記録する際の該被記録媒体の繊維方向に沿う方向に発生するムラを抑制する。【解決手段】被記録媒体としての布帛に記録する記録ヘッド６を備える記録装置１を用いて行う記録方法であって、前記被記録媒体の繊維方向と交差する方向Ｘの解像度が前記繊維方向に沿う方向Ｙの解像度よりも高くなるよう記録する記録工程を有することを特徴とする。このような記録工程により、被記録媒体の繊維方向に沿う方向に発生するムラを抑制する。【選択図】図５
2014114522.tif 000002
【特許請求の範囲】
【請求項１】
被記録媒体としての布帛に記録する記録ヘッドを備える記録装置を用いて行う記録方法であって、
前記被記録媒体の繊維方向と交差する方向の解像度が前記繊維方向に沿う方向の解像度よりも高くなるよう記録する記録工程を有することを特徴とする記録方法。
【請求項２】
被記録媒体としての布帛に記録する記録ヘッドと、前記被記録媒体と前記記録ヘッドとを相対移動させる移動機構と、前記記録ヘッドを前記移動機構による相対移動方向と交差する走査方向に往復走査させる走査機構と、を備える記録装置を用いて行う記録方法であって、
前記被記録媒体の繊維方向が前記相対移動方向となるように該被記録媒体をセットするセット工程と、
前記走査方向の解像度が前記相対移動方向の解像度よりも高くなるよう記録する記録工程と、を有することを特徴とする記録方法。
【請求項３】
請求項１又は２に記載の記録方法において、
前記記録装置は、白色インクによる白色記録を前記記録工程に先立って実行可能であり、
前記記録工程は、前記白色記録が行われている場合及び前記被記録媒体の前処理が行われている場合の少なくともいずれか一方の場合には、交差する２方向の解像度の高低を逆又は無くして記録することを特徴とする記録方法。
【請求項４】
被記録媒体としての布帛に記録する記録ヘッドと、
前記被記録媒体の繊維方向を受付ける受付け部と、
前記受付け部が受付けた前記繊維方向に従って、前記繊維方向と交差する方向の解像度が前記繊維方向に沿う方向の解像度よりも高くなるよう記録するように制御する制御部と、を備えることを特徴とする記録装置。
【請求項５】
請求項４に記載の記録装置において、
前記被記録媒体の繊維方向を検出する検出部を備え、
前記受付け部は、前記検出部が検出した前記繊維方向を受付けることを特徴とする記録装置。
【請求項６】
請求項４又は５に記載の記録装置において、
前記被記録媒体と前記記録ヘッドとを相対移動させる移動機構と、前記記録ヘッドを前記移動機構による相対移動方向と交差する走査方向に往復走査させる走査機構と、を備え、
前記制御部は、前記受付け部が受付けた前記繊維方向が前記相対移動方向及び前記走査方向に対して斜め方向の場合には、前記相対移動方向及び前記走査方向の解像度に差が無いよう記録するように制御することを特徴とする記録装置。
【発明の詳細な説明】
【技術分野】
【０００１】
本発明は、被記録媒体としての布帛に記録する記録方法及び記録装置に関する。
【背景技術】
【０００２】
従来から、被記録媒体としての布帛に記録する記録装置が使用されている。なお、一般的に布帛には繊維方向がある。このため、この繊維方向の影響を抑制することを目的とした技術が開示されている。  
例えば、特許文献１には、布帛の繊維の方向と記録ヘッドを用いて形成されるインクドットの配列方向とが異なるように記録する記録装置が開示されている。このように記録することにより、記録ヘッドの不具合によりインクが吐出しないノズルが発生した場合等に、インクが全く塗布されない繊維が生じることにより、インクが塗布されていない部分が目立つということを抑制している。
【先行技術文献】
【特許文献】
【０００３】
【特許文献１】特開平６−３２８８１１号公報
【発明の概要】
【発明が解決しようとする課題】
【０００４】
布帛に塗布されたインクは繊維方向に沿ってインクが流れてから定着する傾向にある。すなわち、繊維方向に沿う方向にインクは広がりやすく、繊維方向に沿う方向のムラができやすい。  
しかしながら、特許文献１の記録装置は、記録ヘッドの不具合によりインクが吐出しないノズルが発生した場合等にその不具合を目立たなくする技術に過ぎない。このため、繊維方向に沿う方向にインクが広がりやすいということに起因する、繊維方向に沿う方向のムラを抑制する効果は不十分である。
【０００５】
そこで、本発明の目的は、被記録媒体としての布帛に記録する際の該被記録媒体の繊維方向に沿う方向に発生するムラを抑制することである。
【課題を解決するための手段】
【０００６】
上記課題を解決するための本発明の第１の態様の記録方法は、被記録媒体としての布帛に記録する記録ヘッドを備える記録装置を用いて行う記録方法であって、前記被記録媒体の繊維方向と交差する方向の解像度が前記繊維方向に沿う方向の解像度よりも高くなるよう記録する記録工程を有することを特徴とする。
【０００７】
ここで、「前記被記録媒体の繊維方向と交差する方向の解像度が前記繊維方向に沿う方向の解像度よりも高くなるよう記録する」とは、具体的には、被記録媒体の繊維方向と交差する方向のほうが前記繊維方向に沿う方向よりも被記録媒体に形成されるインクのドットが密になるよう記録することを意味する。なお、「繊維方向」とは、被記録媒体を構成する繊維そのものの方向のほか、該繊維が編まれることにより構成される被記録媒体の表面に表れる溝状の凹部に沿う方向も含む意味である。
【０００８】
本態様によれば、繊維方向と交差する方向の解像度が前記繊維方向に沿う方向の解像度よりも高くなるよう記録するので、被記録媒体の繊維方向に沿う方向に発生するムラを抑制することができる。  
なお、前記被記録媒体の繊維方向は、被記録媒体としての布帛の種類によって概ね共通している。このため、例えば、使用する被記録媒体の種類を設定可能とし、記録装置又は別の手段により被記録媒体のセット方向をユーザーに報知し、そのセット方向に対応して両方向について所望の解像度で記録することが可能な構成の記録装置を用いることによって本態様を実施可能である。
【０００９】
本発明の第２の態様の記録方法は、被記録媒体としての布帛に記録する記録ヘッドと、前記被記録媒体と前記記録ヘッドとを相対移動させる移動機構と、前記記録ヘッドを前記移動機構による相対移動方向と交差する走査方向に往復走査させる走査機構と、を備える記録装置を用いて行う記録方法であって、前記被記録媒体の繊維方向が前記相対移動方向となるように該被記録媒体をセットするセット工程と、前記走査方向の解像度が前記相対移動方向の解像度よりも高くなるよう記録する記録工程と、を有することを特徴とする。
【００１０】
本態様によれば、被記録媒体の繊維方向が前記相対移動方向となるように該被記録媒体をセットし、記録ヘッドの走査方向の解像度が前記相対移動方向の解像度よりも高くなるよう記録する。すなわち、繊維方向と交差する方向の解像度が前記繊維方向に沿う方向の解像度よりも高くなるよう記録するので、被記録媒体の繊維方向に沿う方向に発生するムラを抑制することができる。  
なお、「前記被記録媒体の繊維方向が前記相対移動方向となるように該被記録媒体をセットする」とは、厳密に前記繊維方向と前記相対移動方向とを合わせることまでは要せず、概ね両方向が合っていれば足りる意味である。
【００１１】
本発明の第３の態様の記録方法は、前記第１又は第２の態様において、前記記録装置は、白色インクによる白色記録を前記記録工程に先立って実行可能であり、前記記録工程は、前記白色記録が行われている場合及び前記被記録媒体の前処理が行われている場合の少なくともいずれか一方の場合には、交差する２方向の解像度の高低を逆又は無くして記録することを特徴とする。
【００１２】
ここで、「交差する２方向」とは、本態様の記録方法が前記第１の態様を引用する場合は「前記繊維方向と交差する方向及び前記繊維方向に沿う方向」を意味し、本態様の記録方法が前記第２の態様を引用する場合は「前記相対移動方向及び前記走査方向」を意味する。  
【００１３】
前記被記録媒体の前処理が行われている場合や白色インクによる白色記録を前記記録工程に先立って実行した場合は、前処理剤や白色インクの効果により、繊維方向に沿ってインクが流れてから定着する傾向は見られなくなる場合が多い。このため、本態様によれば、必要な場合にのみ、繊維方向と交差する方向の解像度が前記繊維方向に沿う方向の解像度よりも高くなるよう記録することが可能になる。
【００１４】
本発明の第４の態様の記録装置は、被記録媒体としての布帛に記録する記録ヘッドと、前記被記録媒体の繊維方向を受付ける受付け部と、前記受付け部が受付けた前記繊維方向に従って、前記繊維方向と交差する方向の解像度が前記繊維方向に沿う方向の解像度よりも高くなるよう記録するように制御する制御部と、を備えることを特徴とする。
【００１５】
本態様によれば、繊維方向と交差する方向の解像度が前記繊維方向に沿う方向の解像度よりも高くなるよう記録するので、被記録媒体の繊維方向に沿う方向に発生するムラを抑制することができる。  
なお、「受付け部」は、別途備えられる繊維方向を検出する検出部の検出結果を受付ける構成のほか、ユーザーが繊維方向を入力可能な構成としこの入力結果を受付ける構成としてもよい。
【００１６】
本発明の第５の態様の記録装置は、前記第４の態様において、前記被記録媒体の繊維方向を検出する検出部を備え、前記受付け部は、前記検出部が検出した前記繊維方向を受付けることを特徴とする。
【００１７】
本態様によれば、簡単な構成で繊維方向と交差する方向の解像度が前記繊維方向に沿う方向の解像度よりも高くなるよう記録することができる。
【００１８】
本発明の第６の態様の記録装置は、前記第４又は第５の態様において、前記被記録媒体と前記記録ヘッドとを相対移動させる移動機構と、前記記録ヘッドを前記移動機構による相対移動方向と交差する走査方向に往復走査させる走査機構と、を備え、前記制御部は、前記受付け部が受付けた前記繊維方向が前記相対移動方向及び前記走査方向に対して斜め方向の場合には、前記相対移動方向及び前記走査方向の解像度に差が無いよう記録するように制御することを特徴とする。
【００１９】
本態様によれば、前記繊維方向が前記相対移動方向及び前記走査方向に対して斜め方向の場合に、被記録媒体の繊維方向に沿う方向に発生するムラを抑制することが可能である。  
なお、「前記相対移動方向及び前記走査方向の解像度に差が無いよう記録する」とは、例えば、前記相対移動方向及び前記走査方向の解像度が同じ設定値となるように記録するという意味である。
【図面の簡単な説明】
【００２０】
【図１】本発明の一実施例に係る記録装置を表す概略斜視図。
【図２】本発明の一実施例に係る記録装置を表す概略正面図。
【図３】本発明の一実施例に係る記録装置のブロック図。
【図４】被記録媒体の繊維方向を説明するための模式図。
【図５】本発明の実施例１に係る記録方法を表すフローチャート。
【図６】本発明の実施例２に係る記録方法を表すフローチャート。
【発明を実施するための形態】
【００２１】
［記録装置の実施例］（図１〜図４）  
以下に、本発明の一実施例に係る記録装置について、添付図面を参照して詳細に説明する。  
最初に、本発明の一実施例に係る記録装置について説明する。  
図１は本発明の一実施例に係る記録装置１の概略斜視図、図２は概略正面図を表している。
【００２２】
本実施例の記録装置１は、被記録媒体としての布帛を支持する支持部としての媒体支持トレイ２を備えている。また、媒体支持トレイ２に支持された被記録媒体を搬送方向Ａに搬送する移動機構３を備えている。なお、本実施例における移動機構３は記録ヘッド６（図３参照）に対して媒体支持トレイ２を移動させる（媒体支持トレイ２に支持された被記録媒体を搬送する）構成である。しかしながら、媒体支持トレイ２に対して記録ヘッド６を移動させる構成や、両者を相対移動させる構成であってもよい。  
また、媒体支持トレイ２はステージ４に支持されている。媒体支持トレイ２はステージ４と共に、回転レバー５を回転させることにより、高さ方向Ｃに移動する。
【００２３】
また、記録装置１の本体内部には記録ヘッド６が備えられている。そして、本実施例の記録装置１は、搬送方向Ａと交差する走査方向Ｂに記録ヘッド６を往復移動させながら、記録ヘッド６から媒体支持トレイ２に支持されて搬送される被記録媒体にインクを吐出させて所望の画像を形成する。なお、本実施例の記録装置１は、図１中の手前側（左下方向）が媒体支持トレイ２への被記録媒体のセット位置であり、図１中の奥側（右上方向）の記録開始位置まで被記録媒体をセットした媒体支持トレイ２を移動した後、図１中の手前側に媒体支持トレイ２を移動しながら記録する。
【００２４】
また、記録装置１には、モニター８及びコントロールパネル９が設けられている。ユーザーは、コントロールパネル９を用いて、モニター８に表示されるメニューから所望のメニューを選択し記録装置１に実行させることができる。例えば、使用する被記録媒体の種類や搬送方向Ａ及び走査方向Ｂにおける解像度（記録モード）等を選択し記録装置１に実行させることができる。
【００２５】
また、記録装置１は、白色インク、黒色インク、シアンインク、マゼンタインク、イエローインクを収容したインクカートリッジ（不図示）を備えている。  
また、媒体支持トレイ２に支持された被記録媒体の繊維方向を検出可能な検出部としてのフォトセンサー２２（図３参照）を備えている。  
さらに、媒体支持トレイ２に支持された被記録媒体の浮きを検出する浮き検出センサー２１（図３参照）を備えている。なお、浮き検出センサー２１は、記録時の被記録媒体の搬送方向において記録ヘッド６の走査範囲よりも上流側に設けられており、記録時においては制御部１０（図３参照）の制御により常時ＯＮになっている。
【００２６】
次に、本実施例の記録装置１における電気的な構成について説明する。  
図３は、本実施例の記録装置１のブロック図である。  
制御部１０には、記録装置１の全体の制御を司るＣＰＵ１１が設けられている。ＣＰＵ１１は、システムバス１２を介して、ＣＰＵ１１が実行する各種制御プログラムやメンテナンスシーケンス等を格納したＲＯＭ１３と、データを一時的に格納可能なＲＡＭ１４と接続されている。また、ＣＰＵ１１は、システムバス１２を介して、記録ヘッド６を駆動するためのヘッド駆動部１５と接続されている。また、記録ヘッド６を搭載したキャリッジを移動させるためのキャリッジモーター１６及び被記録媒体を搬送するための搬送モーター１７を駆動させるためのモーター駆動部１８と接続されている。なお、キャリッジ及びキャリッジモーター１６は、不図示のタイミングベルトなどと共に記録ヘッド７の走査機構を構成している。さらに、記録データ等をＰＣ等の外部装置から入力する等のためのインターフェース１９、モニター８及びコントロールパネル９とデータ及び信号の送受信を行うための入出力部２０と接続されている。
【００２７】
ＲＯＭ１３には、搬送方向Ａ及び走査方向Ｂにおける解像度が同じである記録モードと共に解像度が異なる複数の記録モードが格納されている。  
本実施例の記録装置１は、フォトセンサー２２が検出した被記録媒体の繊維方向に基づいて、モニター８及びコントロールパネル９を用いてユーザーに実施可能な記録モードを選択させることができる。この実施可能な記録モードは、被記録媒体の繊維方向と交差する方向の解像度が繊維方向に沿う方向の解像度よりも高くなる記録モードである。なお、これらの記録モードの選択及び選択された記録モードに基づく記録実行動作は制御部１０による制御によって行われる。
【００２８】
また、本実施例の記録装置１は、モニター８及びコントロールパネル９を用いてユーザーに使用する被記録媒体の種類を設定させることができる。そして、制御部１０は、その設定に基づいて、被記録媒体のセット方向を、該被記録媒体の繊維方向が搬送方向Ａとなるように、モニター８に表示させるよう制御することができる。ここで、制御部１０は、被記録媒体の繊維方向を受付ける受付け部としての役割を有している。そして、その上で、ユーザーに実施可能な記録モードを選択させることができる。この実施可能な記録モードは、走査方向Ｂの解像度が搬送方向Ａの解像度よりも高くなる記録モードである。
【００２９】
なお、被記録媒体が布帛である場合、その種類によって概ね繊維方向は決まっている。例えば、一般的にはＴシャツにおける繊維方向は丈方向である。布帛に塗布されたインクは繊維方向に沿ってインクが流れてから定着する傾向にあるので、繊維方向に沿う方向にインクは広がりやすく、繊維方向に沿う方向のムラができやすい。すなわち、Ｔシャツに記録を行う場合、丈方向にムラができやすい。
【００３０】
制御部１０が上記のような制御をすることにより、被記録媒体の繊維方向と交差する方向の解像度が繊維方向に沿う方向の解像度よりも高くなるように記録することが可能になる。例えば、被記録媒体としてＴシャツがユーザーに選択された場合、丈方向と交差する幅方向（繊維方向と交差する方向）の解像度が丈方向（繊維方向に沿う方向）の解像度よりも高くなるよう記録する。  
具体的には、例えば、フォトセンサー２２が検出したＴシャツの繊維方向に基づいて、Ｔシャツの繊維方向と交差する方向の解像度が繊維方向に沿う方向の解像度よりも高くなる記録モードで記録する方法が挙げられる。  
また、Ｔシャツの繊維方向が搬送方向Ａとなるように、Ｔシャツをセットするようユーザーに報知させ、走査方向Ｂの解像度が搬送方向Ａの解像度よりも高くなる記録モードで記録する方法が挙げられる。  
こうして、このような丈方向のムラを抑制することができる。
【００３１】
すなわち、本実施例の記録装置１は、被記録媒体の繊維方向と交差する方向の解像度が前記繊維方向に沿う方向の解像度よりも高くなるよう記録する記録モードを有している。別の表現をすると、被記録媒体の繊維方向と交差する方向のほうが前記繊維方向に沿う方向よりも被記録媒体に形成されるインクのドットが密になるよう記録する記録モードを有している。
【００３２】
また、本実施例の記録装置１では、インクの色材と反応する多価金属や樹脂等を含有する前処理剤を予め塗布した布帛が被記録媒体として好ましく用いられるが、このような前処理を行っていない被記録媒体を使用することもできる。  
また、本実施例の記録装置１は、白色インクによる白色記録を、画像を形成する際の記録に先立って実行可能である。  
本実施例の記録装置１は、画像を形成する際の記録において、白色記録が既に行われている場合及び被記録媒体の前処理が行われている場合の少なくともいずれか一方の場合には、搬送方向Ａ及び走査方向Ｂの交差する２方向の解像度の高低を逆又は無くして記録することが可能な構成となっている。
【００３３】
被記録媒体の前処理が行われている場合や白色インクによる白色記録を先立って実行した場合は、前処理剤や白色インクの効果により、繊維方向に沿ってインクが流れてから定着する傾向は見られなくなる場合が多い。このため、本実施例の記録装置１においては、必要な場合にのみ、繊維方向と交差する方向の解像度が前記繊維方向に沿う方向の解像度よりも高くなるよう記録することが可能になっている。
【００３４】
なお、本実施例の記録装置１は、フォトセンサー２２が検出した被記録媒体の繊維方向が搬送方向Ａ及び走査方向Ｂに対して斜め方向の場合には、搬送方向Ａ及び走査方向Ｂの解像度に差が無いよう記録するように制御部１０により制御する記録モードを有している。こうして、被記録媒体の繊維方向に沿う方向に発生するムラを抑制している。  
なお、「搬送方向Ａ及び走査方向Ｂの解像度に差が無いよう記録する」とは、例えば、搬送方向Ａ及び走査方向Ｂの解像度が共に１４４０ｄｐｉの設定値で記録するというように、同じ設定値となるように記録するという意味である。
【００３５】
また、前記被記録媒体の繊維方向は、被記録媒体としての布帛の種類によって概ね共通している。このため、例えば、使用する被記録媒体の種類と該被記録媒体のセット方向とを両方設定可能とし、該セット方向に対応して該被記録媒体の繊維方向に沿う方向及び繊維方向と交差する方向の解像度を設定することができる構成としてもよい。
【００３６】
次に、被記録媒体の繊維方向について説明する。  
図４は、被記録媒体の繊維方向を説明するために、該被記録媒体において記録が実行される面を拡大して繊維方向を簡略化して表した模式図である。  
図４中の方向Ｘは被記録媒体の繊維方向と交差する方向であり、方向Ｙは被記録媒体の繊維方向に沿う方向である。なお、本実施例における繊維方向は、被記録媒体の繊維が編まれることにより構成される被記録媒体の表面に表れる溝状の凹部Ｖに沿う方向である。本実施例の記録装置１は、被記録媒体の繊維方向と交差する方向Ｘの解像度が繊維方向に沿う方向Ｙの解像度よりも高くなるよう記録する。
【００３７】
［記録方法の実施例１］（図５）  
次に、本発明の実施例１に係る記録方法について説明する。  
図５は、本発明の実施例１に係る記録方法を表すフローチャートである。  
なお、本実施例の記録方法は、上記記録装置１を用いて行った実施例である。
【００３８】
被記録媒体へ画像形成を行うための記録動作を開始すると、最初に、ステップＳ１１０において、制御部１０の制御に従ってフォトセンサー２２は被記録媒体の繊維方向を検出する。  
次に、ステップＳ１２０において、制御部１０はフォトセンサー２２が検出した被記録媒体の繊維方向を受付ける。
【００３９】
次に、ステップＳ１３０において、制御部１０は前処理及び白色記録の少なくともいずれか一方が行われているか否かを判断する。なお、本実施例においては、コントロールパネル９を用いてユーザーが前処理及び白色記録を行っているか否かを入力し、その結果を制御部１０が受付けることにより判断する。また、前処理及び白色記録は、記録装置１を用いて行われたもの及び別の装置等により行われたものの何れであってもよい。  
制御部１０が前処理及び白色記録のいずれも行われていないと判断した場合はステップＳ１４０に進み、前処理及び白色記録の少なくともいずれか一方が行われていると判断した場合はステップＳ１５０に進む。
【００４０】
ステップＳ１４０においては、被記録媒体の繊維方向に沿う方向Ｙの解像度が繊維方向と交差する方向Ｘの解像度よりも低くなる（繊維方向と交差する方向Ｘの解像度が繊維方向に沿う方向Ｙの解像度よりも高くなる）記録モードをモニター８に表示する。  
一方、ステップＳ１５０においては、被記録媒体の繊維方向に沿う方向Ｙの解像度が繊維方向と交差する方向Ｘの解像度よりも高くなる記録モードをモニター８に表示する。なお、ここで、被記録媒体の繊維方向に沿う方向Ｙの解像度と繊維方向と交差する方向Ｘの解像度とに高低の差がない記録モードをモニター８に表示してもよい。  
ユーザーがコントロールパネル９を用いて、モニター８に表示された記録モードから、記録を実行する記録モードを選択すると、ステップＳ１６０において、制御部１０は記録モードを受付ける。
【００４１】
そして、ステップＳ１７０において、制御部１０がステップＳ１６０で受け付けた記録モードで、記録装置１は記録を実行する。
【００４２】
［記録方法の実施例２］（図６）  
次に、本発明の実施例２に係る記録方法について説明する。  
図６は、本発明の実施例２に係る記録方法を表すフローチャートである。  
なお、本実施例の記録方法は、上記記録装置１を用いて行った実施例である。
【００４３】
被記録媒体へ画像形成を行うための記録動作を開始すると、最初に、ステップＳ２１０において、モニター８に被記録媒体の種類を表示する。コントロールパネル９を用いてユーザーが表示された被記録媒体の中から使用する被記録媒体の種類を選択すると、ステップＳ２２０において、制御部１０は被記録媒体の種類を受付ける。
【００４４】
次に、ステップＳ２３０において、制御部１０の制御に従い、被記録媒体の記録装置１へのセット方向をモニター８に表示する。このセット方向は、被記録媒体の繊維方向が搬送方向Ａとなる方向である。例えば、被記録媒体がＴシャツである場合は、繊維方向となる丈方向が搬送方向Ａとなる方向である。なお、「繊維方向となる丈方向が搬送方向Ａとなる方向」とは、厳密に繊維方向（丈方向）と搬送方向Ａとが合っていることまでは要せず、概ね両方向が合っていればよい。  
次に、コントロールパネル９を用いてユーザーが被記録媒体をセットしたことを入力すると、ステップＳ２４０において、制御部１０は被記録媒体がセットされたことを受付ける。
【００４５】
次に、ステップＳ２５０において、制御部１０は前処理及び白色記録の少なくともいずれか一方が行われているか否かを判断する。なお、本実施例においては、コントロールパネル９を用いてユーザーが前処理及び白色記録を行っているか否かを入力し、その結果を制御部１０が受付けることにより判断する。また、前処理及び白色記録は、記録装置１を用いて行われたもの及び別の装置等により行われたものの何れであってもよい。  
制御部１０が前処理及び白色記録のいずれも行われていないと判断した場合はステップＳ２６０に進み、前処理及び白色記録の少なくともいずれか一方が行われていると判断した場合はステップＳ２７０に進む。
【００４６】
ステップＳ２６０においては、走査方向Ｂの解像度が搬送方向Ａの解像度よりも高くなる記録モードをモニター８に表示する。別の表現をすると、被記録媒体の繊維方向と交差する方向Ｘの解像度が繊維方向に沿う方向Ｙの解像度よりも高くなる記録モードをモニター８に表示する。  
一方、ステップＳ２７０においては、走査方向Ｂの解像度が搬送方向Ａの解像度よりも低くなる記録モードをモニター８に表示する。別の表現をすると、被記録媒体の繊維方向と交差する方向Ｘの解像度が繊維方向に沿う方向Ｙの解像度よりも低くなる記録モードをモニター８に表示する。なお、ここで、走査方向Ｂの解像度と搬送方向Ａの解像度とに高低の差がない記録モードをモニター８に表示してもよい。  
ユーザーがコントロールパネル９を用いて、モニター８に表示された記録モードから、記録を実行する記録モードを選択すると、ステップＳ２８０において、制御部１０は記録モードを受付ける。
【００４７】
そして、ステップＳ２９０において、制御部１０がステップＳ２８０で受け付けた記録モードで、記録装置１は記録を実行する。
【符号の説明】
【００４８】
１  記録装置、２  媒体支持トレイ（支持部）、３  移動機構、４  ステージ、
５  回転レバー、６  記録ヘッド、８  モニター、
９  コントロールパネル、１０  制御部、１１  ＣＰＵ、１２  システムバス、
１３  ＲＯＭ、１４  ＲＡＭ、１５  ヘッド駆動部、１６  キャリッジモーター、
１７  搬送モーター、１８  モーター駆動部、１９  インターフェース、
２０  入出力部、２１  浮き検出センサー、２２フォトセンサー（検出部）、
Ｖ  溝状の凹部
【図１】
2014114522.tif 000003
【図２】
2014114522.tif 000004
【図３】
2014114522.tif 000005
【図４】
2014114522.tif 000006
【図５】
2014114522.tif 000007
【図６】
2014114522.tif 000008